(57)【要約】【課題】データベースを用いることなく差込印刷できるようにし、また、差込データを個々に指定することなく差込印刷できるようにする。【解決手段】ひな型２０の上から２行目を差込位置と指定し、第１の原稿セット２１及び２２の第１頁の１行目を差込データ位置と指定することにより、ひな型２０上の該差込位置に、この差込データが記入されて、第１の原稿セットに対する表紙が作成される。第１の原稿セットの枚数を指定することにより、第２の原稿セット２１及び２２の第１頁が検出され、その１行目が差込データ位置とみなされ、ひな型２０上の該差込位置に、この差込データが記入されて、第２の原稿セットに対する表紙が作成される。【選択図】図２
2007208780.tif 000002
【特許請求の範囲】
【請求項１】
ひな型原稿のデータ及び１頁以上の原稿セットのデータが格納される記憶手段と、
該ひな型原稿上のデータ差込位置及び該原稿セットの第１頁上の差込データ位置を指定する入力手段と、
該指定された原稿セットの第１頁上の差込データ位置から差込元データを取得し、該差込元データに対応した差込先データを、該指定されたひな型原稿上のデータ差込位置に差し込んで表紙データを作成する画像処理手段と、
該作成された表紙データ及び該原稿セットのデータに基づき用紙に画像を形成して排出する画像形成手段と、
を有することを特徴とする画像形成装置。
【請求項２】
該記憶手段には複数の原稿セットのデータが格納されており、
該入力手段はさらに、該複数の原稿セットにおける各原稿セットの第１頁の頁位置を定める情報を入力し、
該画像処理手段は、該情報に基づき各原稿セットの第１頁を判別し、各原稿セットについて、該差し込みによる表紙データを作成し、
該画像形成手段は、各原稿セットについて、該作成された表紙データ及び該原稿セットのデータに基づき用紙に画像を形成して排出する、
ことを特徴とする請求項１に記載の画像形成装置。
【請求項３】
該入力手段はさらに、差込先データの文字の書式を指定し、
該画像処理手段は、該指定された書式に基づいて該差込元データに対応した差込先データを作成する、
ことを特徴とする請求項１又は２に記載の画像形成装置。
【請求項４】
ひな型原稿のデータ、１頁以上の原稿セットのデータ及び特殊位置識別符号が格納される記憶手段と、
画像処理により該ひな型原稿及び該原稿セットに含まれる該特殊位置識別符号を検出して、該ひな型原稿上のデータ差込位置及び該原稿セットの第１頁上の差込データ位置を決定する特定位置決定手段と、
該決定された原稿セットの第１頁上の差込データ位置から差込元データを取得し、該差込元データに対応した差込先データを、該検出されたひな型原稿上のデータ差込位置に差し込んで表紙データを作成する画像処理手段と、
該作成された表紙データ及び該原稿セットのデータに基づき用紙に画像を形成して排出する画像形成手段と、
を有することを特徴とする画像形成装置。
【請求項５】
該記憶手段には複数の原稿セットのデータが格納されており、
該特定位置決定手段はさらに、該検出された特殊位置識別符号の頁位置に基づいて該複数の原稿セットにおける各原稿セットの第１頁の位置を決定し、
該画像処理手段は、各原稿セットについて、該差し込みによる表紙データを作成し、
該画像形成手段は、各原稿セットについて、該作成された表紙データ及び該原稿セットのデータに基づき用紙に画像を形成して排出する、
ことを特徴とする請求項４に記載の画像形成装置。
【発明の詳細な説明】
【技術分野】
【０００１】
本発明は、用紙に画像を形成する複写機、プリンタ、ファクシミリ又は複合機等の画像形成装置に係り、特に、差込印刷を行う画像形成装置に関する。
【背景技術】
【０００２】
年賀状等の差込印刷では、宛先のデータベースを作成し、画面上で宛先領域を決定し、印刷を開始させることにより、データベース上の宛先が順次はがき等に印刷される。
【特許文献１】特開平１０−０１６３４４号
【特許文献２】特開昭６３−２６２２４８号
【発明の開示】
【発明が解決しようとする課題】
【０００３】
しかしながら、従来の差込印刷では、用途に応じて、差し込むデータのデータベースを作成する必要があった。このため、データ量が少なくてデータベースを作成する必要がない場合には、差込印刷が用いられなかった。また、データベースを作成しても、差込データを個々に指定しなければならないような場合には、データベースの利用効率が悪い。
【０００４】
本発明の目的は、このような問題点に鑑み、データベースを用いることなく差込印刷することが可能な画像形成装置を提供することにある。
【０００５】
本発明の他の目的は、差込データを個々に指定することなく差込印刷することが可能な画像形成装置を提供することにある。
【課題を解決するための手段】
【０００６】
本発明による画像形成装置の第１態様では、
ひな型原稿のデータ及び１頁以上の原稿セットのデータが格納される記憶手段と、
該ひな型原稿上のデータ差込位置及び該原稿セットの第１頁上の差込データ位置を指定する入力手段と、
該指定された原稿セットの第１頁上の差込データ位置から差込元データを取得し、該差込元データに対応した差込先データを、該指定されたひな型原稿上のデータ差込位置に差し込んで表紙データを作成する画像処理手段と、
該作成された表紙データ及び該原稿セットのデータに基づき用紙に画像を形成して排出する画像形成手段とを有する。
【０００７】
本発明による画像形成装置の第２態様では、第１態様において、
該記憶手段には複数の原稿セットのデータが格納されており、
該入力手段はさらに、該複数の原稿セットにおける各原稿セットの第１頁の頁位置を定める情報を入力し、
該画像処理手段は、該情報に基づき各原稿セットの第１頁を判別し、各原稿セットについて、該差し込みによる表紙データを作成し、
該画像形成手段は、各原稿セットについて、該作成された表紙データ及び該原稿セットのデータに基づき用紙に画像を形成して排出する。
【０００８】
本発明による画像形成装置の第３態様では、第１又は２態様において、
該入力手段はさらに、差込先データの文字の書式を指定し、
該画像処理手段は、該指定された書式に基づいて該差込元データに対応した差込先データを作成する。
【０００９】
本発明による画像形成装置の第４態様では、
ひな型原稿のデータ、１頁以上の原稿セットのデータ及び特殊位置識別符号が格納される記憶手段と、
画像処理により該ひな型原稿及び該原稿セットに含まれる該特殊位置識別符号を検出して、該ひな型原稿上のデータ差込位置及び該原稿セットの第１頁上の差込データ位置を決定する特定位置決定手段と、
該決定された原稿セットの第１頁上の差込データ位置から差込元データを取得し、該差込元データに対応した差込先データを、該検出されたひな型原稿上のデータ差込位置に差し込んで表紙データを作成する画像処理手段と、
該作成された表紙データ及び該原稿セットのデータに基づき用紙に画像を形成して排出する画像形成手段とを有する。
【００１０】
本発明による画像形成装置の第５態様では、第４態様において、
該記憶手段には複数の原稿セットのデータが格納されており、
該特定位置決定手段はさらに、該検出された特殊位置識別符号の頁位置に基づいて該複数の原稿セットにおける各原稿セットの第１頁の位置を決定し、
該画像処理手段は、各原稿セットについて、該差し込みによる表紙データを作成し、
該画像形成手段は、各原稿セットについて、該作成された表紙データ及び該原稿セットのデータに基づき用紙に画像を形成して排出する。
【発明の効果】
【００１１】
上記第１態様の構成によれば、画像データから差込データが自動抽出されるので、差込印刷前にデータベースを作成する必要がない。
【００１２】
上記第２態様の構成によれば、複数の原稿セットにおける各原稿セットの第１頁の頁位置を定める情報を入力することにより、画像処理手段で各原稿セットの第１頁が判別されるとともに差込データがこれから自動抽出され、各原稿セットについて、差し込みによる表紙データが作成されるので、簡単な操作で便利な表紙付を行うことができる。
【００１３】
上記第３態様の構成によれば、差込先データの文字の書式を指定することにより、これに応じた差込印刷結果を得ることができる。
【００１４】
上記第４態様の構成によれば、ひな型原稿上のデータ差込位置及び原稿セットの第１頁上の差込データ位置が自動的に決定されるので、操作性がさらに向上する。
【００１５】
上記第５態様の構成によれば、上記第２態様での設定を行うことなく、上記第２態様と同じ結果が得られるので、操作性がさらに向上する。
【００１６】
本発明の他の目的、構成及び効果は以下の説明から明らかになる。
【実施例１】
【００１７】
図１は、本発明の実施例１に係る画像形成装置のハードウェア構成を示す概略ブロック図である。
【００１８】
画像形成装置１０は、プロセッサにメモリが結合された構成を含む制御装置１１を備え、このプロセッサにはさらに、インタフェースを介しオートシートフィーダ１２、スキャナ１３、メモリ１４、プリンタ１５、ハードディスク装置１６及び操作パネル１７が結合されるとともに、プリントジョブを行うためにネットワークインタフェース１８を介して外部のコンピュータ１９にＬＡＮで結合されている。
【００１９】
オートシートフィーダ１２により搬送される原稿の画像は、スキャナ１３により読み取られて、メモリ１４に格納され、処理される。
【００２０】
プリンタ１５は、給紙部、画像形成手段、定着器及び用紙搬送手段を備え、画像形成手段は、制御装置１１で処理された画像データに基づいて、感光ドラム上にトナー像を形成し、給紙部からの用紙にトナー像を転写させ、定着器は、このトナー像を用紙に定着させ、用紙搬送手段は、用紙を給紙部から画像形成手段へ搬送し、次いで定着器へ搬送し、さらにトレイ上に排紙させる。
【００２１】
ハードディスク装置１６には、ＯＳ、アプリケーションプログラム及びデータが格納される。
【００２２】
操作パネル１７は、例えばタッチパネルであり、ユーザに対し各種設定を行わせるとともに情報を表示するためのものである。
【００２３】
図２は、本実施例１の差込印刷におけるデータ処理方法の概略説明図である。
【００２４】
ひな型２０は、差込印刷対象であり、分かり易くするために、差込位置にラインが描かれている。この場合、上から２行目の文字又は記号の列を差込位置として指定すればよいので、ラインでなくてもよい。
【００２５】
原稿２１及び２２は、第１の原稿セットであり、１行目の文字列を差込データとして指定することにより、ひな型２０上の指定された差込位置に、この文字列が記入されて、第１の原稿セットに対する表紙２０Ａ（図４）が作成される。
【００２６】
同様に、原稿２１及び２２は、第２の原稿セットであり、全体の原稿に対するこの原稿セットの１頁目の位置情報を与えることにより、その１行目の文字列が差込データとみなされて取得され、ひな型２０上の該差込位置に、この文字列が記入されて、第２の原稿セットに対する表紙２０Ｂ（図４）が作成される。
【００２７】
全体の原稿に対する原稿セットの１頁目の位置情報は、各原稿セットの枚数であってもよく、これが最も簡単な指定方法である。最後の原稿セットの枚数は指定しなくてもよい。
【００２８】
図３は、図２に対応したものであり、差込印刷前のひな型２０と、第１の原稿セット（原稿２１及び２２）と、第２の原稿セット（原稿３１及び３２）とを示す図である。ひな型２０は、ワープロソフトにより作成されて印刷され、原稿２１、２２、３１及び３２は、データベースソフト又は表計算ソフトで一括印刷される。社内の課毎の原稿セットには、部課名のタイトルが付された在籍者情報一覧表が示されている。
【００２９】
図４は、上記方法により差込印刷され、各原稿セットの表紙として挿入されたものの配列を示しており、原稿２１及び２２の原稿セットに付加された表紙２０Ａには、原稿２１の１行目のタイトルが差し込まれ、原稿３１及び３２の原稿セットに付加された表紙２０Ｂには、原稿３１の１行目のタイトルが差し込まれている。
【００３０】
図５は、入力画像の配列と出力画像の配列との関係を示す図であり、先頭にひな型２０を配置すれば、原稿セット毎に、ひな型２０を用いて差込印刷された表紙２０Ａ及び２０Ｂが自動挿入される。
【００３１】
図６は、操作パネル１７を操作して差込印刷が選択された場合の、制御装置１１による処理を示すフローチャートである。この処理は、操作パネル１７上のスタートボタンを押すことにより開始される。以下、括弧内は図中のステップ識別符号である。
【００３２】
（Ｓ０）差込印刷の設定を画像入力と並行して行うため、まず、ステップＳ１及びＳ４のスレッドを生成して起動する。次いでオートシートフィーダ１２及びスキャナ１３を駆動して、トレイ上の原稿の画像をスキャナ１３により順次読み込み、その画像データをメモリ１４に格納する。
【００３３】
（Ｓ１）操作パネル１７に、図８に示すような第１設定画面を表示させる。この設定画面で設定されるデータは、どの原稿画像データをＯＣＲ処理すべきかを決定するための情報を含んでいる。ＯＣＲ処理結果は、後述の図９の第２設定画面で用いられる。
【００３４】
オートシートフィーダ１２にセットした原稿の先頭にひな型２０が含まれる場合には、キー（ソフトウェアキー）４０を押下して新規ひな型を選択する。ハードディスク装置１６に登録されたひな型を用いる場合には、キー４１を押下し、さらにコンボテキストボックス４２の矢印を押下してドロップダウンリストを表示させ、そのリスト中のひな型名を押してこれを選択する。
【００３５】
テキストボックス４３には、不図示のテンキーを操作して、各原稿セットの枚数を記入する。例えば第１〜３原稿セットの枚数が３，２，５である場合には、３，２，５と記載する。図２の場合には２，２と記載する。テキストボックス４３に記入したデータを修正する場合には、テキストボックス４３の下方に表示されている方向キー及び削除キーを、一般に行われているように操作する。
【００３６】
複数の原稿セットが全て同一枚数である場合には、例えば２＊と記載してもよい。
【００３７】
キー４４を押すと、ステップＳ４へ進んで図９の第２設定画面が表示されるとともに、メインスレッドではステップＳ２での待機が解除されてステップＳ３へ進む。
【００３８】
（Ｓ３）ステップＳ１で新規ひな型が選択された場合には、先頭頁のひな型と、テキストボックス４３の設定で定まる各原稿セットの第１頁（但し、第１原稿セットの第１頁は全体の２頁目。最後の原稿セットの枚数は無関係。）とをＯＣＲ処理する。ステップＳ１で登録ひな型が選択された場合には、先頭頁がひな型でないと判断して、テキストボックス４３の設定で定まる各原稿セットの第１頁（第１原稿セットの第１頁は全体の１頁目。最後の原稿セットの枚数は無関係。）をＯＣＲ処理する。次にステップＳ６で待機する。
【００３９】
（Ｓ４）図９において、点線の左側はひな型に関する設定項目であり、右側は各原稿セットに関する設定項目である。画面中間部には、両設定で共通に用いられる編集用の方向キーと削除キーとが表示されている。
【００４０】
ひな型のデータ差込位置が上から何行目の文字又は記号であるかを、テキストボックス５０に記入する。図２の場合には、ラインの位置を差込位置とするので、テキストボックス５０に"２"を記入する。このラインは、差込位置を示すだけのものであり、表紙画像作成時にはこの行のライン幅内に差込データが上書きされてラインが消去される。
【００４１】
次にキー５１Ａを押すと、テキストボックス５０に記入された行のＯＣＲ処理結果がテキストボックス５１Ｂに表示される。これにより、差込位置の指定ミスが防止される。テキストボックス５１Ｂ内からはみ出した文字は、画面中央部の左右方向キーを押すことにより確認することができる。
【００４２】
差込データの行頭又は行末に特定の文字又は記号を付加（差込行に付加）する場合には、編集キーと不図示の文字キー（例えば、テンキーと共通のキー）を操作して、それぞれテキストボックス５２又はテキストボックス５３に記入する。例えば、差込データを［］で括る場合には、ヘッダとして"［"を指定し、フッタとして"］"を指定する。
【００４３】
ＯＣＲ処理された文字又は記号が差し込まれるので、各種書式を設定してこれに応じたデータを差し込み先データとすることができる。そこで、コンボテキストボックス５４及び５５によりフォントの種類及びサイズを選択し、チェックボックス５６又はチェックボックス５７を押すことによりそれぞれ太字又はアンダーラインの付加を選択し、文字間隔をテキストボックス５８に記入し、差し込み文字列のアライメントをコンボテキストボックス５９で選択する。
【００４４】
原稿セットについては、各原稿セットの先頭頁の差込データ位置を指定する。この場合も、差込データを確認することができる。
【００４５】
すなわち、テキストボックス６０に、何番目の原稿セットであるかを記入し、テキストボックス６１にその原稿セットの第１頁の上から何行目が差込データ位置であるかを記入し、キー６２Ａを押すと、テキストボックス６２Ｂにその行のＯＣＲ結果が表示される。これにより、差込データ位置の指定ミスが防止される。テキストボックス６２Ｂ内からはみ出した文字は、画面中央部の左右方向キーを押すことにより確認することができる。
【００４６】
テキストボックス４３Ａには、図８のテキストボックス４３で設定した各原稿セットの枚数が確認のために表示されている。これを変更する場合には、キー６４を押してステップＳ１へ戻る（Ｓ６）ことにより、図８の画面を表示させる。
【００４７】
１番目の原稿セットについてテキストボックス６１に差込データ位置の行を設定すると、他の原稿セットについても共通に設定され、他の原稿セットについて変更する必要が有る場合のみ、テキストボックス６０の値に応じてテキストボックス６１に差込データ位置の行を記入する。
【００４８】
なお、ＯＣＲ文字認識に誤りがある場合や、認識文字列の一部のみ使用する場合には、編集キーと不図示の文字キーとを用いて修正する。
【００４９】
テキストボックス５Ａにひな型の名前を記入し、キー５Ｂを押すと、図９のひな型に関する設定値、ひな型の画像データファイル名及び原稿セットの差込データ位置を、該名前と対応付けて、ハードディスク装置１６に格納されたテーブルに登録する。このファイルは、ハードディスク装置１６に格納される。
【００５０】
ステップＳ１で図８のキー４１を押し、コンボテキストボックス４２内のひな型名を選択した場合には、この名前のひな型の設定値及び原稿セットの差込データ位置が該テーブルから読み出され、ステップＳ２において、図９の該当欄に記入される。
【００５１】
したがって、この登録をしておけば、図８のテキストボックス４３に原稿セット毎の枚数のみ指定するだけでよい。原稿セット数の既定値は１であり、原稿セット数が１つの場合には設定不要である
キー６３を押すと、メインスレッドにおいて、ステップＳ６での待ち状態が解除され、ステップＳ７へ進む。
【００５２】
（Ｓ７）図７に示す、以下のような差込印刷を含む印刷処理を実行する。
【００５３】
（Ｓ１０）配列変数Ｎ（０）〜Ｎ（ｍ）にそれぞれ図８のテキストボックス４３に設定された各原稿セットの枚数を代入する。ｍは、原稿セット数より１だけ小さい値である。原稿セット識別変数ｉに初期値０を代入する。
【００５４】
（Ｓ１１）上述のように決定された差込データを、ビットマップ展開し、メモリ１４内のひな型画像中の差し込み領域に上書きして、ｉ＋１番目の表紙画像を完成させ、そのデータをプリンタ１５に供給してｉ＋１番目の原稿セットの表紙を印刷させる。
【００５５】
（Ｓ１２）ｉ＋１番目の原稿セットの頁識別変数ｊに初期値０を代入する。
【００５６】
（Ｓ１３）この原稿セットのｊ＋１頁の画像データをメモリ１４から読み出してプリンタ１５に供給することより、この頁を印刷させる。
【００５７】
（Ｓ１４）ｊを１だけインクリメントする。
【００５８】
（Ｓ１５）ｊ≦Ｎ（ｉ）であればステップＳ１３へ戻り、そうでなければステップＳ１６へ進む。
【００５９】
（Ｓ１６）ｉを１だけインクリメントする。
【００６０】
（Ｓ１７）ｉ≦ｍであればステップＳ１１へ戻り、そうでなければ印刷ジョブを終了する。
【００６１】
このような処理により、例えば図５の上部記載のような配列の原稿に対し、下部記載のような配列の印刷結果が得られる。
【００６２】
以上説明した如く、本実施例１では、印刷された画像データから差込データを抽出するので、差込印刷前にデータベースを作成する必要がない。また、使用したひな型の設定値を登録をしておけば、２回目以降については、原稿セット毎の枚数のみ指定すればよく、特に、原稿セット数が１つの場合には設定不要であるので、操作が極めて簡単である。
【００６３】
図１１は、原稿セット数が１つで原稿セットが１頁であり、送付状をひな型２０Ｂとしたものを示す。このひな型２０Ｂに、複数種のいずれかである既定フォーマットの原稿２１Ａの第２行及び第３行をそれぞれ、件名及び添付書類の項目として差し込む（図９では差込位置及び差込データ位置が１頁について１箇所である場合を説明したが、箇所目入力のテキストボックスを追加することにより、複数箇所の場合に拡張できる）。このひな型をハードディスク装置１６に登録しておけば、定型的な各種原稿２１Ａに対し、送付状を極めて容易に完成させることができ、利便性が高く、実用的である。
【００６４】
なお、本発明には外にも種々の変形例が含まれる。
【００６５】
例えば、最後の原稿セットの枚数は、図８のテキストボックス４３に記入しなくてもよい。この場合、図７のステップＳ１０では、スキャナ１３で読み取った原稿枚数のカウント値から、Ｎ（０）〜Ｎ（ｍ−１）の合計値を差し引くことにより、Ｎ（ｍ）を求めるか、或いはステップＳ１５において、ｉ＝ｍの場合には最後の画像データであるか否かで分岐先を決定する。
【００６６】
また、差込データ位置及び／又はデータ差込位置の指定は、通常使用されない特殊位置識別符号、例えば「＄％」をその位置に挿入することにより指定してもよい。この場合、特殊位置識別符号を予め定めて記憶手段に格納しておき、この特殊位置識別符号に基づいて画像処理により該差込データ位置及び／又はデータ差込位置を自動的に決定し、コピージョブにおいて該特殊位置識別符号を消去する構成であってもよい。このようにすれば、差込データ位置が存在する頁が原稿セットの第１頁であるので、各原稿セットの枚数を自動カウントでき、設定が不要となるので、操作性がさらに向上する。
【００６７】
さらに、差込データ位置及び／又はデータ差込位置の指定は、その頁の中で最も大きいサイズの文字列又は最も太い文字の文字列と決めておくことにより行い、画像処理によりその文字列を判別して、該差込データ位置及び／又はデータ差込位置を自動的に決定する構成であってもよい。
【００６８】
また、図２においてひな型２０として送付状を用い、２つの原稿セットをこの送付状に添付する場合に、各原稿セットのタイトルを差込データとして指定し、データ差込位置を送付状の添付書類項目位置（２箇所）としてしてもよい。送付状の宛名及び／又は件名の部分については、データベースを用いた通常の差込印刷を行う構成であってもよい。本発明は、このような従来技術との組み合わせでより効果的になる。
【００６９】
また、差込データとしてＯＣＲの結果の文字コードを用いる替わりに、対応する位置（領域）の画像データをそのまま用いる構成であってもよい。この場合、ＯＣＲのような文字誤認識がないので、その確認や修正を行う必要がない。
【００７０】
さらに、上記実施例１では、本発明をコピーに適用した場合を説明したが、本発明はプリントジョブにも適用可能である。この場合、紙原稿の替わりにデータファイルを原稿として用い、印刷対象のデータをビットマップ展開して、その後に実施例１と同様の処理を行えばよい。また、ビットマップ展開する前に文字コードのデータを用いて、ＯＣＲ処理することなく表紙画像データを作成してもよい。さらに、プリントジョブではコンピュータ１９に備えられた大画面表示装置を用いることができるので、ポインティングデバイスでひな型のデータ差込位置及び原稿セットの差込データ位置を指定してもよい。
【図面の簡単な説明】
【００７１】
【図１】本発明の実施例１に係る画像形成装置のハードウェア構成を示す概略ブロック図である。
【図２】本実施例１の差込印刷におけるデータ処理方法の概略説明図である。
【図３】図２に対応した、差込印刷前のひな型と、第１の原稿セットと、第２の原稿セットとを示す図である。
【図４】上記方法により差込印刷され、各原稿セットの表紙として挿入されたものの配列を示す図である。
【図５】入力画像の配列と出力画像の配列との関係を示す説明図である。
【図６】差込印刷が選択された場合の、制御装置による処理を示す概略フローチャートである。
【図７】図６のステップＳ７の詳細フローチャートである。
【図８】図６のステップＳ１の設定で用いられる第１設定画面を示す図である。
【図９】図６のステップＳ２の設定で用いられる第２設定画面を示す図である。
【図１０】登録されたひな型のデータを示すテーブル説明図である。
【図１１】原稿セット数が１つで原稿セットが１頁であり、送付状をひな型としたものを示す、図２に対応した図である。
【符号の説明】
【００７２】
１０  画像形成装置
１１  制御装置
１２  オートシートフィーダ
１３  スキャナ
１４  メモリ
１５  プリンタ
１６  ハードディスク装置
１７  操作パネル
１８  ネットワークインタフェース
１９  コンピュータ
２０、２０Ａ、２０Ｂ  ひな型
２１、２２、３１、３２、２１Ａ  原稿
４１、４０、４４、４５、５Ｂ、５１Ａ、６２Ａ、６３、６４  キー
４２、５４、５５、５９  コンボテキストボックス
４３、４３Ａ、５０、５１Ｂ、５２、５３、５８、５Ａ、６０、６１、６２Ｂ  テキストボックス
５６、５７  チェックボックス
【図１】
2007208780.tif 000003
【図２】
2007208780.tif 000004
【図３】
2007208780.tif 000005
【図４】
2007208780.tif 000006
【図５】
2007208780.tif 000007
【図６】
2007208780.tif 000008
【図７】
2007208780.tif 000009
【図８】
2007208780.tif 000010
【図９】
2007208780.tif 000011
【図１０】
2007208780.tif 000012
【図１１】
2007208780.tif 000013